(57)【要約】【課題】  構造を従来より簡略化することができる繋止システムを提供する。【解決手段】  閉じることによって室内空間１０１および室外空間１０２を分離する施錠可能な開き戸１１１と、開き戸１１１が閉じている場合に開き戸１１１に対して室内空間１０１が存在する方向１００ａに直交する方向１００ｃにおいて開き戸１１１に対向する対向部１１２ａとを備えた開閉装置１１０に繋ぎ止められる繋止システム１０は、開き戸１１１に予め取り付けられる取付具２０と、取付具２０に繋ぎ止められる繋止具４０とを備え、取付具２０は、開き戸１１１が閉じている場合の開き戸１１１および対向部１１２ａの隙間１１０ａにおける方向１００ａへの繋止具４０の移動を繋止具４０との接触による変形によって許可し、方向１００ａの反対の方向１００ｂへの隙間１１０ａにおける繋止具４０の移動を繋止具４０との接触によって禁止するバネ部２２ａを備えることを特徴とする。【選択図】  図８
2018096059.tif 000002
【特許請求の範囲】
【請求項１】
閉じることによって第１空間および第２空間を分離する施錠可能な開閉部と、
前記開閉部が閉じている場合に前記開閉部に対して前記第１空間が存在する第１方向、および、前記第１方向の反対の第２方向の両方に直交する第３方向において前記開閉部に対向する対向部と
を備えた開閉装置に繋ぎ止められる繋止システムであって、
前記開閉部に予め取り付けられる取付具と、
前記取付具に繋ぎ止められる繋止具と
を備え、
前記取付具および前記繋止具の少なくとも一方は、前記開閉部が閉じている場合の前記開閉部および前記対向部の隙間における前記第１方向への前記繋止具の移動を他方との接触による変形によって許可し、前記隙間における前記第２方向への前記繋止具の移動を他方との接触によって禁止するバネ部を備えることを特徴とする繋止システム。
【請求項２】
前記取付具および前記繋止具の少なくとも一方は、前記第１方向および前記第３方向の両方に直交する第４方向への前記隙間における前記繋止具の移動を他方との接触によって禁止する第４方向移動禁止部を備えることを特徴とする請求項１に記載の繋止システム。
【請求項３】
前記取付具および前記繋止具の少なくとも一方は、前記取付具に対する前記繋止具の位置が前記バネ部が前記第２方向への前記繋止具の移動を禁止する第１位置である場合に前記第３方向への前記繋止具の移動を他方との接触によって禁止し、前記取付具に対する前記繋止具の位置が前記第１位置より前記第１方向に特定の距離離れた第２位置である場合に他方との接触が解除されて前記第３方向への前記繋止具の移動を許可する第３方向移動禁止部材を備えることを特徴とする請求項１または請求項２に記載の繋止システム。
【請求項４】
前記開閉装置は、閉じている状態の前記開閉部に対して前記第１空間側に配置される第１空間側配置部を備え、
前記繋止具は、前記開閉部が閉じている場合に前記第１空間側配置部との接触によって前記第１方向への前記繋止具の移動を禁止する第１空間側配置部接触部を備えることを特徴とする請求項１から請求項３までの何れかに記載の繋止システム。
【請求項５】
前記開閉装置は、前記対向部に対して前記第２空間側に配置される第２空間側配置部を備え、
前記繋止具は、前記開閉部が閉じている場合に前記第２空間側配置部との接触によって前記第１方向への前記繋止具の移動を禁止する第２空間側配置部接触部を備えることを特徴とする請求項１から請求項３までの何れかに記載の繋止システム。
【発明の詳細な説明】
【技術分野】
【０００１】
本発明は、建物などに荷物などを繋ぎ止めるための繋止システムに関する。
【背景技術】
【０００２】
従来、施錠可能な扉と、扉が閉じている状態で扉の端部に対向する扉枠とを備えた建物に荷物を繋ぎ止める繋止システムであって、扉の端部と、扉枠との隙間に挿入される金箆と、金箆の延在方向に延在して金箆に回転可能に支持された遊動軸と、金箆の先端側で遊動軸に対して曲げられて遊動軸に設けられた鉤爪と、金箆の根元側で遊動軸に対して曲げられて遊動軸に設けられた梃子と、遊動軸を中心とした梃子の回転をロックする錠機構とを有した繋止具を用いるものが知られている（例えば、特許文献１参照。）。
【０００３】
また、荷物を繋ぎ止めるための繋止具と、開いている状態の扉に予め取り付けられて繋止具を扉に固定するための受け装置とを備え、繋止具は、受け装置に挿入されるための挿入部を有し、挿入部は、受け装置からの抜け止めのための段差が形成され、受け装置は、扉が閉じている状態で扉の端部と、扉枠との隙間に配置される隙間配置部と、建物の内側に設けられ隙間配置部に接続されて、扉の端部と、扉枠との隙間からの隙間配置部の抜け止めを行う抜止部と、繋止具が挿入される挿入穴が形成された本体と、挿入穴に挿入された繋止具の段差に接触することによって繋止具の抜け止めを行う爪部材とを有する繋止システムも知られている（例えば、特許文献２参照。）。
【先行技術文献】
【特許文献】
【０００４】
【特許文献１】特開２００１−２００６７１号公報
【特許文献２】特開２００７−２９１７４６号公報
【発明の概要】
【発明が解決しようとする課題】
【０００５】
しかしながら、従来の繋止システムにおいては、構造が複雑であるという問題がある。
【０００６】
そこで、本発明は、構造を従来より簡略化することができる繋止システムを提供することを目的とする。
【課題を解決するための手段】
【０００７】
本発明の繋止システムは、閉じることによって第１空間および第２空間を分離する施錠可能な開閉部と、前記開閉部が閉じている場合に前記開閉部に対して前記第１空間が存在する第１方向、および、前記第１方向の反対の第２方向の両方に直交する第３方向において前記開閉部に対向する対向部とを備えた開閉装置に繋ぎ止められる繋止システムであって、前記開閉部に予め取り付けられる取付具と、前記取付具に繋ぎ止められる繋止具とを備え、前記取付具および前記繋止具の少なくとも一方は、前記開閉部が閉じている場合の前記開閉部および前記対向部の隙間における前記第１方向への前記繋止具の移動を他方との接触による変形によって許可し、前記隙間における前記第２方向への前記繋止具の移動を他方との接触によって禁止するバネ部を備えることを特徴とする。
【０００８】
この構成により、本発明の繋止システムは、バネ部によって繋止具が取付具に繋ぎ止められるので、構造を従来より簡略化することができる。
【０００９】
本発明の繋止システムにおいて、前記取付具および前記繋止具の少なくとも一方は、前記第１方向および前記第３方向の両方に直交する第４方向への前記隙間における前記繋止具の移動を他方との接触によって禁止する第４方向移動禁止部を備えても良い。
【００１０】
この構成により、本発明の繋止システムは、第４方向移動禁止部によって繋止具の第４方向への移動を禁止することによって、取付具に対する繋止具の第１方向への移動が安定するので、操作性を向上することができる。
【００１１】
本発明の繋止システムにおいて、前記取付具および前記繋止具の少なくとも一方は、前記取付具に対する前記繋止具の位置が前記バネ部が前記第２方向への前記繋止具の移動を禁止する第１位置である場合に前記第３方向への前記繋止具の移動を他方との接触によって禁止し、前記取付具に対する前記繋止具の位置が前記第１位置より前記第１方向に特定の距離離れた第２位置である場合に他方との接触が解除されて前記第３方向への前記繋止具の移動を許可する第３方向移動禁止部材を備えても良い。
【００１２】
この構成により、本発明の繋止システムは、取付具に対する繋止具の位置が第１位置である場合に第３方向移動禁止部材によって第３方向への繋止具の移動を禁止するので、開閉部と、対向部との隙間が大きくてもバネ部によって繋止具が取付具に繋ぎ止められ、利便性を向上することができる。
【００１３】
本発明の繋止システムにおいて、前記開閉装置は、閉じている状態の前記開閉部に対して前記第１空間側に配置される第１空間側配置部を備え、前記繋止具は、前記開閉部が閉じている場合に前記第１空間側配置部との接触によって前記第１方向への前記繋止具の移動を禁止する第１空間側配置部接触部を備えても良い。
【００１４】
この構成により、本発明の繋止システムは、開閉装置の第１空間側配置部を利用して繋止具が取付具に繋ぎ止められるので、構造を簡略化することができる。
【００１５】
本発明の繋止システムにおいて、前記開閉装置は、前記対向部に対して前記第２空間側に配置される第２空間側配置部を備え、前記繋止具は、前記開閉部が閉じている場合に前記第２空間側配置部との接触によって前記第１方向への前記繋止具の移動を禁止する第２空間側配置部接触部を備えても良い。
【００１６】
この構成により、本発明の繋止システムは、開閉装置の第２空間側配置部接触部を利用して繋止具が取付具に繋ぎ止められるので、構造を簡略化することができる。
【発明の効果】
【００１７】
本発明の繋止システムは、構造を従来より簡略化することができる。
【図面の簡単な説明】
【００１８】
【図１】本発明の一実施の形態に係る繋止システムが使用される建物の一部の斜視図である。
【図２】図１に示す建物の一部の側面断面図である。
【図３】（ａ）図１に示す取付具の正面図である。  （ｂ）図１に示す取付具の背面図である。  （ｃ）図１に示す取付具の右側面図である。
【図４】（ａ）図１に示す取付具の右側面断面図である。  （ｂ）図１に示す取付具の平面図である。  （ｃ）図１に示す取付具の底面図である。
【図５】（ａ）図１に示す繋止具の正面図である。  （ｂ）図１に示す繋止具の左側面図である。  （ｃ）図１に示す繋止具の左側面断面図である。  （ｄ）図１に示す繋止具の平面図である。
【図６】図１に示すボックスの外観斜視図である。
【図７】（ａ）蓋が閉じられた直後の図６に示すボックスの一部の斜視図である。  （ｂ）揺動部の穴に突起部が挿入された状態の図６に示すボックスの一部の斜視図である。  （ｃ）突起部の穴に繋止具が挿し込まれた状態の図６に示すボックスの一部の斜視図である。  （ｄ）突起部の穴にワイヤーが挿し込まれた状態のボックスの一部の斜視図である。
【図８】（ａ）繋止具が取付具に繋ぎ止められている状態で戸当たりを省略して描いた場合の図１に示す繋止システムの背面図である。  （ｂ）繋止具が取付具に繋ぎ止められている状態の図１に示す繋止システムの右側面断面図である。  （ｃ）繋止具が取付具に繋ぎ止められている状態で戸当たりを省略して描いた場合の図１に示す繋止システムの底面図である。
【図９】（ａ）繋止具が取付具から取り外される状態の図１に示す繋止システムの右側面断面図である。  （ｂ）繋止具が取付具から取り外される状態で戸当たりを省略して描いた場合の図１に示す繋止システムの底面図である。
【図１０】支持部を備えていない図１に示す繋止システムの右側面断面図である。
【図１１】開閉装置の戸枠の室外空間側の端部を利用して繋止具が取付具に繋ぎ止められる図１に示す繋止システムの右側面断面図である。
【図１２】（ａ）蓋が開いている状態の本発明の一実施の形態に係る繋止システムのボックスの一例の一部の斜視図である。  （ｂ）蓋が閉じている状態の図１２（ａ）に示すボックスの一部の斜視図である。  （ｃ）ワイヤー部材が取り付けられている状態の図１２（ａ）に示すボックスの一部の斜視図である。
【図１３】（ａ）バンド本体が通される前の本発明の一実施の形態に係る繋止システムの環状部の斜視図である。  （ｂ）荷物を固定している場合の図１３（ａ）に示す繋止システムの一部の斜視図である。
【図１４】（ａ）荷物を固定する前の本発明の一実施の形態に係る繋止システムのバンドの一部の外観斜視図である。  （ｂ）図１４（ａ）とは反対側から観察したバンドの一部の外観斜視図である。
【図１５】（ａ）荷物を固定している状態の図１４に示すバンドの一部の外観斜視図である。  （ｂ）ワイヤー部材が取り付けられている状態の図１４に示すバンドの一部の外観斜視図である。
【発明を実施するための形態】
【００１９】
以下、本発明の一実施の形態について、図面を用いて説明する。
【００２０】
まず、本実施の形態に係る繋止システムの構成について説明する。
【００２１】
図１は、本実施の形態に係る繋止システム１０が使用される建物１００の一部の斜視図である。図２は、建物１００の一部の側面断面図である。
【００２２】
図１および図２に示すように、建物１００は、部屋に人が出入りするための開閉装置１１０を備えている。開閉装置１１０は、開閉部としての開き戸１１１と、戸枠１１２と、開き戸１１１および戸枠１１２に固定されて戸枠１１２に対して開き戸１１１を開閉可能に支持する蝶番１１３とを備えている。
【００２３】
開き戸１１１は、閉じることによって、第１空間としての室内空間１０１と、第２空間としての室外空間１０２とを分離するものである。開き戸１１１は、図示していない鍵によって戸枠１１２に対して開き戸１１１を施錠可能にする錠１１１ａと、戸枠１１２に対して開き戸１１１を開閉する際に利用者に掴まれるノブ１１１ｂとを備えている。
【００２４】
戸枠１１２は、開き戸１１１が閉じている場合に開き戸１１１に対して室内空間１０１が存在する第１方向である方向１００ａと、方向１００ａの反対の第２方向である方向１００ｂとの両方に直交する第３方向である方向１００ｃにおいて開き戸１１１に対向する対向部１１２ａと、閉じている状態の開き戸１１１に対して室内空間１０１側に配置される第１空間側配置部としての戸当たり１１２ｂと、対向部１１２ａに対して室外空間１０２側に配置される第２空間側配置部としての端部１１２ｃとを備えている。
【００２５】
繋止システム１０は、開閉装置１１０に繋ぎ止められることによって、建物１００に荷物１９０を繋ぎ止めるものである。
【００２６】
繋止システム１０は、開き戸１１１に予め取り付けられる取付具２０と、取付具２０に繋ぎ止められるワイヤー部材３０と、内部に荷物１９０を収納可能であってワイヤー部材３０によって繋ぎ止められるボックス６０とを備えている。
【００２７】
ワイヤー部材３０は、取付具２０に繋ぎ止められる繋止具４０と、繋止具４０に連結されているワイヤー５１と、ワイヤー５１に連結されていてワイヤー部材３０がボックス６０から外れることを防止するストッパー５２とを備えている。
【００２８】
図３（ａ）、（ｂ）、（ｃ）は、それぞれ、取付具２０の正面図、背面図、右側面図である。図４（ａ）、（ｂ）、（ｃ）は、それぞれ、取付具２０の右側面断面図、平面図、底面図である。
【００２９】
図３および図４に示すように、取付具２０は、開き戸１１１（図２参照。）が閉じている場合の室内空間１０１（図２参照。）側に配置されていて開き戸１１１に固定される固定部２１を備えている。固定部２１は、例えば、接着剤やネジによって開き戸１１１に固定される。
【００３０】
取付具２０は、開き戸１１１が閉じている場合に開き戸１１１および対向部１１２ａ（図２参照。）の隙間１１０ａ（図２参照。）に配置される隙間配置部２２を備えている。
【００３１】
隙間配置部２２は、隙間１１０ａにおける方向１００ａ（図１参照。）への繋止具４０（図１参照。）の移動を、繋止具４０との接触による変形によって許可し、隙間１１０ａにおける方向１００ｂ（図１参照。）への繋止具４０の移動を、繋止具４０との接触によって禁止するバネ部２２ａを備えている。
【００３２】
隙間配置部２２は、方向１００ａおよび方向１００ｃの両方に直交する第４方向である方向１００ｄ（図１参照。）への隙間１１０ａにおける繋止具４０の移動を、繋止具４０との接触によって禁止する第４方向移動禁止部としてのガイド部２２ｂを備えている。
【００３３】
隙間配置部２２は、取付具２０に対する繋止具４０の位置がバネ部２２ａが方向１００ｂへの繋止具４０の移動を禁止する第１位置である場合に方向１００ｃへの繋止具４０の移動を、繋止具４０との接触によって禁止し、取付具２０に対する繋止具４０の位置が第１位置より方向１００ａに特定の距離離れた第２位置である場合に繋止具４０との接触が解除されて方向１００ｃへの繋止具４０の移動を許可する第３方向移動禁止部材としての支持部２２ｃを備えている。
【００３４】
なお、取付具２０は、ステンレスのバネ材によって形成されている。
【００３５】
図５（ａ）、（ｂ）、（ｃ）、（ｄ）は、それぞれ、繋止具４０の正面図、左側面図、左側面断面図、平面図である。
【００３６】
図５に示すように、繋止具４０は、取付具２０に繋ぎ止められる繋止部４１と、ワイヤー５１（図１参照。）に連結されているワイヤー連結部４２と、繋止部４１およびワイヤー連結部４２を連結している連結部４３とを備えている。
【００３７】
繋止部４１は、開き戸１１１（図２参照。）が閉じている場合に戸当たり１１２ｂ（図２参照。）との接触によって取付具２０（図２参照。）に対する繋止具４０の位置が第２位置になることを防ぐ第１空間側配置部接触部としての端部４１ａと、取付具２０に対する繋止具４０の位置が第１位置の場合にバネ部２２ａ（図２参照。）が挿入される穴部４１ｂとを備えている。
【００３８】
なお、繋止具４０は、ステンレスによって形成されている。
【００３９】
図６は、ボックス６０の外観斜視図である。
【００４０】
図６に示すように、ボックス６０は、本体６１と、本体６１に対して図示していない蝶番によって片開きとなるように取り付けられた蓋６２とを備えている。本体６１には、繋止具４０（図１参照。）およびワイヤー５１（図１参照。）が通される穴６３ａが形成されている突起部６３が固定されている。ボックス６０は、突起部６３が挿入される穴６４ａが形成されていて蝶番６４ｂを介して揺動可能に蓋６２に固定されている揺動部６４を備えている。
【００４１】
ボックス６０は、建物１００が集合住宅である場合、例えば、５〜１０軒に１個程度の数が建物１００の共同玄関の近傍に用意されている。
【００４２】
次に、繋止システム１０の使用方法について説明する。
【００４３】
まず、繋止システム１０による開閉装置１１０への荷物１９０の繋ぎ止め方法について説明する。
【００４４】
なお、繋止システム１０による開閉装置１１０への荷物１９０の繋ぎ止めは、開き戸１１１が閉じている状態で実行される。
【００４５】
図７（ａ）は、蓋６２が閉じられた直後のボックス６０の一部の斜視図である。図７（ｂ）は、揺動部６４の穴６４ａに突起部６３が挿入された状態のボックス６０の一部の斜視図である。図７（ｃ）は、突起部６３の穴６３ａに繋止具４０が挿し込まれた状態のボックス６０の一部の斜視図である。図７（ｄ）は、突起部６３の穴６３ａにワイヤー５１が挿し込まれた状態のボックス６０の一部の斜視図である。
【００４６】
宅配業者などの荷物１９０の配達者は、ボックス６０に荷物１９０を入れて図７（ａ）に示すようにボックス６０の蓋６２を閉めた後、図７（ｂ）に示すように揺動部６４の穴６４ａに突起部６３が挿入されるように揺動部６４をセットする。
【００４７】
次いで、配達者は、図７（ｃ）に示すように突起部６３の穴６３ａに繋止具４０を挿し込む。なお、ワイヤー部材３０のストッパー５２は、突起部６３の穴６３ａより大きいので、図７（ｄ）に示すように穴６３ａを通過することができない。したがって、ボックス６０は、図７（ｃ）に示すように突起部６３の穴６３ａに繋止具４０が挿し込まれた場合、ワイヤー部材３０の繋止具４０側が穴６３ａから抜き取られなければ、開けられることができない。
【００４８】
なお、ワイヤー部材３０は、宅配業者が持参しても良いが、ボックス６０と同様に建物１００の共同玄関の近傍に複数用意されていても良い。
【００４９】
図８（ａ）は、繋止具４０が取付具２０に繋ぎ止められている状態で戸当たり１１２を省略して描いた場合の繋止システム１０の背面図である。図８（ｂ）は、繋止具４０が取付具２０に繋ぎ止められている状態の繋止システム１０の右側面断面図である。図８（ｃ）は、繋止具４０が取付具２０に繋ぎ止められている状態で戸当たり１１２を省略して描いた場合の繋止システム１０の底面図である。
【００５０】
配達者は、図７（ｃ）に示すように突起部６３の穴６３ａに繋止具４０を挿し込んだ後、隙間配置部２２のガイド部２２ｂおよび支持部２２ｃによって形成されている空間に繋止具４０を方向１００ａに移動させながら挿入する。このとき、取付具２０のバネ部２２ａは、方向１００ａへの繋止具４０の移動を、繋止具４０との接触による変形によって許可する。したがって、繋止システム１０は、図８に示すように、繋止具４０の穴部４１ｂに取付具２０のバネ部２２ａが挿入された状態になる。
【００５１】
図８に示す状態では、取付具２０のバネ部２２ａは、繋止具４０の穴部４１ｂの壁部との接触によって、方向１００ｂへの繋止具４０の移動を禁止する。また、繋止具４０は、戸当たり１１２ｂへの繋止部４１の端部４１ａの接触によって方向１００ａへの移動が禁止されている。すなわち、繋止具４０は、取付具２０に繋ぎ止められる。したがって、荷物１９０は、繋止システム１０によって開閉装置１１０に繋ぎ止められる。
【００５２】
次に、開閉装置１１０からの荷物１９０の取り外し方法について説明する。
【００５３】
図９（ａ）は、繋止具４０が取付具２０から取り外される状態の繋止システム１０の右側面断面図である。図９（ｂ）は、繋止具４０が取付具２０から取り外される状態で戸当たり１１２を省略して描いた場合の繋止システム１０の底面図である。
【００５４】
例えば、開閉装置１１０の部屋の住民などの荷物１９０の受取人は、帰宅時に開き戸１１１を解錠して開ける。受取人は、開き戸１１１を開けた状態で、図９に示すように繋止具４０を方向１００ａに第２位置まで移動させることによって、移動支持部２２ｃによる方向１００ｃへの繋止具４０の移動の禁止を解除する。したがって、受取人は、取付具２０に対して繋止具４０を方向１００ｃに移動することによって、繋止具４０を取付具２０から取り外すことができる。
【００５５】
受取人は、繋止具４０を取付具２０から取り外した後、ワイヤー部材３０の繋止具４０側をボックス６０の突起部６３の穴６３ａから抜き取る。そして、受取人は、ボックス６０の蓋６２を開けて、荷物１９０を取り出すことができる。
【００５６】
以上に説明したように、繋止システム１０は、バネ部２２ａによって繋止具４０が取付具２０に繋ぎ止められるので、構造を従来より簡略化することができる。
【００５７】
繋止システム１０は、ガイド部２２ｂによって繋止具４０の方向１００ｄへの移動を禁止することによって、取付具２０に対する繋止具４０の方向１００ａへの移動が安定するので、操作性を向上することができる。
【００５８】
なお、繋止システム１０は、ガイド部２２ｂを備えていなくても良い。
【００５９】
繋止システム１０は、取付具２０に対する繋止具４０の位置が第１位置である場合に支持部２２ｃによって方向１００ｃへの繋止具４０の移動を禁止するので、開き戸１１１と、対向部１１２ａとの隙間１１０ａが大きくてもバネ部２２ａによって繋止具４０が取付具２０に繋ぎ止められ、利便性を向上することができる。
【００６０】
なお、繋止システム１０は、図１０に示すように、支持部２２ｃを備えていなくてもバネ部２２ａによって繋止具４０が取付具２０に繋ぎ止められる程度に隙間１１０ａが小さい場合には、支持部２２ｃを備えていなくても良い。
【００６１】
繋止システム１０は、開閉装置１１０の戸当たり１１２ｂを利用して繋止具４０が取付具２０に繋ぎ止められるので、構造を簡略化することができる。
【００６２】
なお、繋止システム１０は、開閉装置１１０の戸当たり１１２ｂを利用する方法以外の方法で方向１００ａへの繋止具４０の移動を禁止しても良い。例えば、繋止システム１０は、図１１に示すように、開き戸１１１が閉じている場合に開閉装置１１０の戸枠１１２の室外空間１０２側の端部１１２ｃに接触することによって方向１００ａへの繋止具４０の移動を禁止する第２空間側配置部接触部としてワイヤー連結部４２の端部４２ａを利用しても良い。繋止システム１０は、図１１に示す構成の場合、開閉装置１１０の戸枠１１２の室外空間１０２側の端部１１２ｃを利用して繋止具４０が取付具２０に繋ぎ止められるので、開閉装置１１０の戸当たり１１２ｂを利用して繋止具４０が取付具２０に繋ぎ止められる構成と同様に、構造を簡略化することができる。
【００６３】
繋止システム１０は、取付具２０および繋止部４１を除く構造が上述した構造以外の構造であっても良い。
【００６４】
例えば、繋止システム１０は、ボックス６０（図１参照。）に代えて図１２に示すようなボックス７０を備えていても良い。
【００６５】
図１２（ａ）は、蓋７２が開いている状態のボックス７０の一部の斜視図である。図１２（ｂ）は、蓋７２が閉じている状態のボックス７０の一部の斜視図である。図１２（ｃ）は、ワイヤー部材３０が取り付けられている状態のボックス７０の一部の斜視図である。
【００６６】
図１２に示すように、ボックス７０は、本体７１と、本体７１に対して図示していない蝶番によって片開きとなるように取り付けられた蓋７２とを備えている。本体７１には、繋止具４０（図１参照。）およびワイヤー５１（図１参照。）が通される穴７３ａが形成されている突起部７３が固定されている。蓋７２には、繋止具４０およびワイヤー５１が通される穴７４ａが形成されている突起部７４が固定されている。突起部７３および突起部７４は、本体７１に対して蓋７２が閉じられている場合に穴７３ａおよび穴７４ａが互いに重なる位置に配置されている。
【００６７】
宅配業者などの荷物１９０の配達者は、図１２（ａ）に示すようにボックス７０を開けた後、ボックス７０に荷物１９０を入れて図１２（ｂ）に示すようにボックス７０の蓋７２を閉める。そして、配達者は、突起部７３、７４の穴７３ａ、７４ａに繋止具４０を挿し込む。なお、ワイヤー部材３０のストッパー５２は、穴７３ａ、７４ａより大きいので、図１２（ｃ）に示すように穴７３ａ、７４ａを通過することができない。したがって、ボックス７０は、穴７３ａ、７４ａに繋止具４０が挿し込まれた場合、ワイヤー部材３０の繋止具４０側が穴７３ａ、７４ａから抜き取られなければ、開けられることができない。
【００６８】
配達者は、穴７３ａ、７４ａに繋止具４０が挿し込んだ後、繋止具４０を取付具２０に繋ぎ止めることによって、開閉装置１１０に荷物１９０を繋ぎ止める。
【００６９】
繋止システム１０は、例えば、ストッパー５２（図１参照。）およびボックス６０（図１参照。）に代えて図１３に示すように環状部５３およびバンド８０を備えていても良い。
【００７０】
図１３（ａ）は、バンド本体８１が通される前の環状部５３の斜視図である。図１３（ｂ）は、荷物１９０を固定している場合の繋止システム１０の一部の斜視図である。
【００７１】
図１３に示すように、ワイヤー部材３０（図１参照。）は、ストッパー５２（図１参照。）に代えて環状部５３を備えている。環状部５３は、ワイヤー５１を環状に形成した部分である。
【００７２】
バンド８０は、バンド本体８１と、バンド本体８１を締め付け固定するためのバックル８２とを備えている。バンド本体８１は、例えば、ＰＰ（polypropylene）、ケブラー（登録商標）などによって形成されている。
【００７３】
宅配業者などの荷物１９０の配達者は、環状部５３にバンド本体８１を通した後、環状部５３にバンド本体８１を通した状態のバンド８０によって荷物１９０を固定する。そして、配達者は、繋止具４０を取付具２０に繋ぎ止めることによって、開閉装置１１０に荷物１９０を繋ぎ止める。
【００７４】
繋止システム１０は、例えば、ボックス６０（図１参照。）に代えて図１４および図１５に示すようにバンド９０を備えていても良い。
【００７５】
図１４（ａ）は、荷物１９０を固定する前のバンド９０の一部の外観斜視図である。図１４（ｂ）は、図１４（ａ）とは反対側から観察したバンド９０の一部の外観斜視図である。図１５（ａ）は、荷物１９０を固定している状態のバンド９０の一部の外観斜視図である。図１５（ｂ）は、ワイヤー部材３０が取り付けられている状態のバンド９０の一部の外観斜視図である。
【００７６】
図１４および図１５に示すように、バンド９０は、バンド本体９１と、バンド本体９１を締め付け固定するためのバックル９２とを備えている。
【００７７】
バンド本体９１は、バックル９２に取り付けられる環状部９１ａを一端に備えている。バンド本体９１は、例えば、ＰＰ、ケブラーなどによって形成されている。
【００７８】
バックル９２は、バックル本体９３と、バックル本体９３に軸９４ａを中心に揺動可能に支持されている揺動部９４とを備えている。バックル本体９３は、環状部９１ａが取り付けられる本体固定部９３ａと、バンド本体９１を通す穴９３ｂと、突起部９３ｃと、突起部９３ｃに形成されていて繋止具４０（図１参照。）およびワイヤー５１（図１参照。）が通される穴９３ｄとを備えている。揺動部９４は、バンド本体９１に食い込むことによってバンド本体９１を固定する食い込み部９４ｂと、突起部９３ｃを通す穴９４ｃとを備えている。
【００７９】
宅配業者などの荷物１９０の配達者は、図１５（ａ）に示すように、荷物１９０にバンド本体９１を巻き付けた後、揺動部９４を倒して食い込み部９４ｂによってバンド本体９１を固定することによって、バンド９０によって荷物１９０を固定する。次いで、配達者は、図１５（ｂ）に示すように、突起部９３ｃの穴９３ｄに繋止具４０を挿し込む。なお、ワイヤー部材３０のストッパー５２は、穴９３ｄより大きいので、図１５（ｂ）に示すように穴９３ｄを通過することができない。したがって、バンド９０は、穴９３ｄに繋止具４０が挿し込まれた場合、ワイヤー部材３０の繋止具４０側が穴９３ｄから抜き取られなければ、緩めることができない。配達者は、突起部９３ｃの穴９３ｄに繋止具４０を挿し込んだ後、繋止具４０を取付具２０に繋ぎ止めることによって、開閉装置１１０に荷物１９０を繋ぎ止める。
【００８０】
なお、取付具２０は、本実施の形態において、バネ部２２ａを隙間配置部２２に備えている。しかしながら、取付具２０は、バネ部２２ａを隙間配置部２２に備えていなくても良い。例えば、取付具２０は、開き戸１１１が閉じている場合に隙間１１０ａの外部の室外空間１０２に突出する部分を備えていても良く、その部分にバネ部を備えていても良い。
【００８１】
繋止システム１０は、本実施の形態において、隙間１１０ａにおける方向１００ａへの繋止具４０の移動を、繋止具４０との接触による変形によって許可し、隙間１１０ａにおける方向１００ｂへの繋止具４０の移動を、繋止具４０との接触によって禁止するバネ部２２ａを取付具２０が備えている。しかしながら、繋止システム１０は、隙間１１０ａにおける方向１００ａへの繋止具４０の移動を、取付具２０との接触による変形によって許可し、隙間１１０ａにおける方向１００ｂへの繋止具４０の移動を、取付具２０との接触によって禁止するバネ部を繋止具４０が備えていても良い。
【００８２】
取付具２０は、本実施の形態において、ガイド部２２ｂを隙間配置部２２に備えている。しかしながら、取付具２０は、ガイド部２２ｂを隙間配置部２２に備えていなくても良い。例えば、取付具２０は、開き戸１１１が閉じている場合に隙間１１０ａの外部の室外空間１０２に突出する部分を備えていても良く、その部分にガイド部を備えていても良い。
【００８３】
繋止システム１０は、本実施の形態において、隙間１１０ａにおける方向１００ｄへの繋止具４０の移動を、繋止具４０との接触によって禁止するガイド部２２ｂを取付具２０が備えている。しかしながら、繋止システム１０は、隙間１１０ａにおける方向１００ｄへの繋止具４０の移動を、取付具２０との接触によって禁止するガイド部を繋止具４０が備えていても良い。
【００８４】
取付具２０は、本実施の形態において、支持部２２ｃを隙間配置部２２に備えている。しかしながら、取付具２０は、支持部２２ｃを隙間配置部２２に備えていなくても良い。例えば、取付具２０は、開き戸１１１が閉じている場合に隙間１１０ａの外部の室外空間１０２に突出する部分を備えていても良く、その部分に支持部を備えていても良い。
【００８５】
繋止システム１０は、本実施の形態において、取付具２０に対する繋止具４０の位置が第１位置である場合に方向１００ｃへの繋止具４０の移動を、繋止具４０との接触によって禁止し、取付具２０に対する繋止具４０の位置が第２位置である場合に繋止具４０との接触が解除されて方向１００ｃへの繋止具４０の移動を許可する支持部２２ｃを取付具２０が備えている。しかしながら、繋止システム１０は、取付具２０に対する繋止具４０の位置が第１位置である場合に方向１００ｃへの繋止具４０の移動を、取付具２０との接触によって禁止し、取付具２０に対する繋止具４０の位置が第２位置である場合に取付具２０との接触が解除されて方向１００ｃへの繋止具４０の移動を許可する支持部を繋止具４０が備えていても良い。
【００８６】
繋止システム１０は、本実施の形態において、開き戸１１１の開閉装置１１０に使用される。しかしながら、繋止システム１０は、開閉部が開けられている場合にバネ部２２ａによる取付具２０への繋止具４０の繋ぎ止めが解除される構成であれば、例えば引き戸など、開き戸以外の開閉部を備える開閉装置に使用されることが可能である。
【符号の説明】
【００８７】
１０  繋止システム
２０  取付具
２２ａ  バネ部
２２ｂ  ガイド部（第４方向移動禁止部）
２２ｃ  支持部（第３方向移動禁止部材）
４０  繋止具
４１ａ  端部（第１空間側配置部接触部）
４２ａ  端部（第２空間側配置部接触部）
１００ａ  方向（第１方向）
１００ｂ  方向（第２方向）
１００ｃ  方向（第３方向）
１００ｄ  方向（第４方向）
１０１  室内空間（第１空間）
１０２  室外空間（第２空間）
１１０  開閉装置
１１０ａ  隙間
１１１  開き戸（開閉部）
１１２ａ  対向部
１１２ｂ  戸当たり（第１空間側配置部）
１１２ｃ  端部（第２空間側配置部）
【図１】
2018096059.tif 000003
【図２】
2018096059.tif 000004
【図３】
2018096059.tif 000005
【図４】
2018096059.tif 000006
【図５】
2018096059.tif 000007
【図６】
2018096059.tif 000008
【図７】
2018096059.tif 000009
【図８】
2018096059.tif 000010
【図９】
2018096059.tif 000011
【図１０】
2018096059.tif 000012
【図１１】
2018096059.tif 000013
【図１２】
2018096059.tif 000014
【図１３】
2018096059.tif 000015
【図１４】
2018096059.tif 000016
【図１５】
2018096059.tif 000017